(57)【要約】【課題】  メモリカード等の外部記憶装置内の画像データを容易に印刷できるマルチファンクションプリンタを提供する。【解決手段】  フォルダ一覧とフォルダ選択のマーク記入欄、各フォルダ内の任意の数画像からなる第一の選択シートを作成し、第一の選択シートを読み取り、選択されたフォルダ内の画像一覧と画像選択のマーク記入欄からなる第二の選択シートを作成し、第二の選択シートを読み取り、選択された画像データの印刷を行う。画像データを日付情報に基づいてグループ化し、日付情報一覧と日付情報選択のマーク記入欄、各日付グループ内の任意の数画像からなる第一の選択シートを作成し、第一の選択シートを読み取り、選択された日付グループ内の画像一覧と画像選択のマーク記入欄からなる第二の選択シートを作成し、第二の選択シートを読み取り、選択された画像データの印刷を行う。【選択図】  図１
2008177770.tif 000002
【特許請求の範囲】
【請求項１】
原稿を読み取る読み取り部と、画像データが格納される記憶部と、画像データの印刷を行う印刷部と、を備えたマルチファンクションプリンタにおいて、
前記記憶部内のフォルダの一覧、該フォルダをそれぞれ選択するためのマーク記入欄および該各フォルダ内の少なくとも１つの画像を構成する第一の選択シートの印刷データを生成する手段と、
前記印刷部において前記第一の選択シートの印刷を行う手段と、
前記読み取り部において前記第一の選択シートを読み取る手段と、
該読み取り結果からフォルダの選択状態を解析するフォルダ解析手段と、
該フォルダ解析手段により解析されて選択されたフォルダ内の画像一覧と画像を選択するためのマーク記入欄とを構成する第二の選択シートの印刷データを生成する手段と、
前記印刷部において前記第二の選択シートの印刷を行う手段と、
前記読み取り部において前記第二の選択シートを読み取る手段と、
該読み取り結果から画像の選択状態を解析する画像解析手段と、
前記印刷部において前記画像解析手段により解析されて選択された画像データの印刷を行う手段と、
を備えることを特徴とするマルチファンクションプリンタ。
【請求項２】
原稿を読み取る読み取り部と、画像データが格納される記憶部と、画像データの印刷を行う印刷部と、を備えたマルチファンクションプリンタにおいて、
前記記憶部内の画像データを日付情報に基づいてグループ化する手段と、
グループ化した日付情報の一覧、該日付情報をそれぞれ選択するためのマーク記入欄および該各日付グループ内の少なくとも１つの画像から構成される第一の選択シートの印刷データを生成する手段と、
前記印刷部において前記第一の選択シートの印刷を行う手段と、
前記読み取り部において第一の選択シートを読み取る手段と、
該読み取り結果から日付情報の選択状態を解析する日付解析手段と、
該日付解析手段により解析されて選択された日付グループ内の画像一覧および画像を選択するためのマーク記入欄を構成する第二の選択シートの印刷データを生成する手段と、
前記印刷部において前記第二の選択シートの印刷を行う手段と、
前記読み取り部において第二の選択シートを読み取る手段と、
該読み取り結果から画像の選択状態を解析する画像解析手段と、
前記印刷部において前記画像解析手段により解析されて選択された画像データの印刷を行う手段と、
を備えることを特徴とするマルチファンクションプリンタ。
【発明の詳細な説明】
【技術分野】
【０００１】
本発明は、画像データが記録されたメモリカード等の外部記憶装置から任意の画像データを読み出して印刷を行うマルチファンクションプリンタに関するものである。
【背景技術】
【０００２】
昨今のプリンタでは、デジタルカメラ等で使用するメモリカードを挿入するためのメモリカードスロットを備え、ＰＣと接続することなくプリンタ単体でメモリカード内の画像データを印刷する機能（いわゆるダイレクトプリント機能）を有するものがある。
【０００３】
このようなプリンタには、ユーザが印刷設定の指示等を入力するための操作パネルを備え、さらには、画像データを表示するためのビューワ（画像表示機能）を備えたものがある。
【０００４】
メモリカード内の画像データをダイレクトプリントする場合、ユーザは、操作パネルのボタンを操作し、ビューワに画像データを表示させて所望の画像データを選択し、印刷指示を行うことで印刷を実行することができる。
【０００５】
また、スキャナ（画像読取装置）機能を有し、印刷機能に加え、スキャンやコピー等の動作を行うことができるマルチファンクションプリンタ（以下、ＭＦＰ）が市場に浸透しつつある。
【０００６】
ＭＦＰにおいて、上記のようにパネル操作で印刷したい画像データを選択する方法の他に、スキャナ機能を用い、以下の手順で所望の画像データの印刷を行う機能が設けられているものがある。
【０００７】
１．メモリカード内の画像データとマーク記入欄を複数枚ならべた画像選択シートを印刷する
２．印刷したい画像データのマーク記入欄にマークをつける
３．マークをつけた画像選択シートをスキャンさせる（読み込ませる）
４．スキャンした結果からマークにより選択された画像データを解析する
５．選択された画像データを印刷する
また、メモリカード内の画像データを外部記憶装置に保存する機能を持つＭＦＰが存在する。
【０００８】
画像データの保存時に、各画像データの保存先のリンク情報を記述したスクリプトファイル作成し、スクリプトファイルを選択することにより、選択したスクリプトファイルに基づいて画像選択シートを作成させるものが存在する。（特許文献１）
【特許文献１】特開２００５−２５４５３５号公報
【発明の開示】
【発明が解決しようとする課題】
【０００９】
このようなダイレクトプリント機能を有するＭＦＰにおいて、ＰＣを使うことなくメモリカード内の画像データを印刷する際、ビューワを有するＭＦＰにおいては、画像データを一枚一枚ビューワに表示させながら印刷したい画像データを選択する必要がある。
【００１０】
また、ビューワを有しないＭＦＰの場合、インデックスプリント（一枚の用紙に複数の画像データを印刷する）を行い、それを見て印刷したい画像データを選択し、ＩＤ番号やファイル名等から印刷したい画像データを操作パネルで指示する必要がある。
【００１１】
いずれの場合も、特に多数枚の画像データが入ったメモリカードや外部記憶装置を使用した場合、印刷したい画像データを探すこと、さらに、印刷する指示を行うことが非常に困難である。
【００１２】
そのため、ＭＦＰにおいて、上記のように画像選択シートを用いる機能が提供されているが、やはり、多数枚の画像データが存在する場合、画像選択シートが複数枚になってしまい、使い勝手が悪くなり、また、印刷したい画像データを探すことは困難である。
【００１３】
外部記憶装置を有するＭＦＰにおいて、画像データの保存時に作成されるスクリプトファイルを指定することにより、選択したスクリプトファイルに基づいて画像選択シートを作成させる機能を有するものがある。
【００１４】
これにより、多数枚の画像データが存在する場合でも、スクリプトファイルに記述されている画像データから画像選択シートを作成するため、画像選択シートの枚数が抑えられ、使い勝手が改善される。
【００１５】
しかし、スクリプトファイルは、ＭＦＰに備わるメモリカード内の画像データを外部記憶装置に保存する際に作成されるものであり、すなわち、メモリカードから外部記憶装置に保存された画像データ以外の画像データについては、本機能は使用できない。
【００１６】
また、スクリプトファイル（識別ディレクトリ）を選択する際に、はたしてどのスクリプトファイル（識別ディレクトリ）に所望の画像データが格納されているのかを確認しなければならない。
【００１７】
そのため、多数枚の画像データが存在する（多数のスクリプトファイル（識別ディレクトリ）が存在する）場合には、印刷したい画像データ（スクリプトファイル・識別ディレクトリ）を探すことは困難である。
【００１８】
本発明は、上記の問題点を解決するためになされたもので、本発明の目的は、メモリカード等の外部記憶装置内の画像データを容易に印刷できるマルチファンクションプリンタを提供することである。
【課題を解決するための手段】
【００１９】
上記目的を達成するために、本発明は、原稿を読み取る読み取り部、画像データが格納される記憶部および画像データの印刷を行う印刷部を備えたマルチファンクションプリンタに関するものであり、記憶部内のフォルダの一覧、該フォルダをそれぞれ選択するためのマーク記入欄および各フォルダ内の少なくとも１つの画像を構成する第一の選択シートの印刷データを生成する手段と、第一の選択シートの印刷を行う手段と、第一の選択シートを読み取る手段と、該読み取り結果からフォルダの選択状態を解析するフォルダ解析手段と、該フォルダ解析手段により解析されて選択されたフォルダ内の画像の一覧および画像を選択するためのマーク記入欄を構成する第二の選択シートの印刷データを生成する手段と、第二の選択シートの印刷を行う手段と、第二の選択シートを読み取る手段と、該読み取り結果から画像の選択状態を解析する画像解析手段と、前記印刷部において前記画像解析手段により解析されて選択された画像データの印刷を行う手段と、を備えることを特徴とする。
【００２０】
また、本発明の別のマルチファンクションプリンタは、原稿を読み取る読み取り部、画像データが格納される記憶部および画像データの印刷を行う印刷部を備えたマルチファンクションプリンタに関するものであり、記憶部内の画像データを日付情報に基づいてグループ化する手段と、グループ化した日付情報の一覧、該日付情報をそれぞれ選択するためのマーク記入欄および該各日付グループ内の少なくとも１つの画像から構成される第一の選択シートを作成する手段と、前記印刷部において第一の選択シートの印刷を行う手段と、第一の選択シートを読み取る手段と、該読み取り結果から日付情報の選択状態を解析する日付解析手段と、該日付解析手段により解析されて選択された日付グループ内の画像の一覧および画像を選択するためのマーク記入欄を構成する第二の選択シートを生成する手段と、前記印刷部において第二の選択シートの印刷を行う手段と、前記読み取り部において前記第二の選択シートを読み取る手段と、該読み取り結果から画像の選択状態を解析する画像解析手段と、前記印刷部において前記画像解析手段により解析されて選択された画像データの印刷を行う手段と、を備えることを特徴とする。
【発明の効果】
【００２１】
本発明によれば、ユーザは、メモリカード等の外部記憶装置内の画像データから、印刷したい画像データを選択する際に、フォルダ情報もしくは日付情報によりグループ化された絞り込みシートを使用し、絞り込みを行うことができる。
【００２２】
そのため、記憶装置内に、多数の画像データが入っているような場合においても、パネル上のビューワに画像を表示させて一枚一枚確認する必要が無く、容易に絞込みを行うことができる。
【００２３】
また、フォルダ、もしくは、日付情報を選択し、読み込ませると、画像選択シートが生成されるため、所望の画像データを印刷する際も、画像選択シートのマークをチェックし、読み込ませるだけなので、容易に印刷操作も行うことができる。
【００２４】
つまり、本発明によれば、ユーザは、メモリカード等の外部記憶装置内の画像データから、印刷したい画像データを容易に選択することができ、さらに、印刷することが可能となる。
【発明を実施するための最良の形態】
【００２５】
以下、添付図面を参照して本発明の好適な実施の形態を詳細に説明する。
【００２６】
図１は、本発明を適用したマルチファンクションプリンタ（ＭＦＰ）装置の概略構成を示すブロック図である。
【００２７】
ＭＦＰ装置１００において、ＣＰＵ１０１は、システム制御部であり、ＭＦＰ装置１００の全体を制御する。
【００２８】
ＲＯＭ１０２は、ＣＰＵ１０１が実行する制御プログラムや組み込みオペレーティングシステム（ＯＳ）プログラム等を格納する。
【００２９】
ＲＡＭ１０３は、ＳＲＡＭ（ｓｔａｔｉｃ ＲＡＭ）等で構成され、プログラム制御変数等を格納し、また、オペレータが登録した設定値やＭＦＰ装置１００の管理データ等を格納し、各種ワーク用バッファ領域が設けられている。
【００３０】
画像メモリ１０４は、ＤＲＡＭ（ｄｙｎａｍｉｃ ＲＡＭ）等で構成され、画像データを蓄積する。
【００３１】
データ変換部１０５は、ページ記述言語（ＰＤＬ）等の解析や、キャラクタデータのＣＧ（ｃｏｍｐｕｔｅｒ ｇｒａｐｈｉｃｓ）展開等、画像データの変換を行う。
【００３２】
読み取り制御部１０６は、読み取り部１０７において得られた画像信号を、図示しない画像処理制御部を介して、２値化処理や中間調処理等の各種画像処理を施し、高精細な画像データを出力する。
【００３３】
読み取り部１０７は、ＣＣＤやＣＩＳ等によって構成され、原稿を光学的に読み取り、電気的な画像信号に変換する。
【００３４】
操作部１０８は、数値入力キー、文字入力キー、ワンタッチ電話番号キー、モード設定キー、決定キー、取り消しキー等を備え、オペレータが画像送信相手先データの決定や設定データの登録動作を行う。
【００３５】
表示部１０９は、ＬＥＤやＬＣＤ（液晶ディスプレイ）等によって構成され、操作部１０８によりユーザによる各種入力操作の表示や、ＭＦＰ装置１００の動作状況、ステータス状況の表示や、画像メモリ１０４に蓄積された画像データの表示等を行う。
【００３６】
通信制御部１１０は、ＭＯＤＥＭ（変復調装置）やＮＣＵ（網制御装置）等によって構成され、アナログの通信回線（ＰＳＴＮ）１３１に接続され、Ｔ３０プロトコルでの通信制御、通信回線に対する発呼と着呼等の回線制御を行っている。
【００３７】
解像度変換処理部１１１は、画像データのミリ−インチ解像度変換等の解像度変換制御を行う。なお、解像度変換部１１１において、画像データの拡大縮小処理も可能である。
【００３８】
符号復号化処理部１１２は、ＭＦＰ装置１００で扱う画像データ（ＭＨ、ＭＲ、ＭＭＲ、ＪＢＩＧ、ＪＰＥＧ等）の符号復号化処理や拡大縮小処理を行う。
【００３９】
記録制御部１１３は、印刷される画像データに対し、図示しない画像処理制御部を介して、スムージング処理や記録濃度補正処理、色補正等の各種画像処理を施し、印刷用の画像データに変換し、画像メモリ１０４に蓄積する。また、定期的に記録部１１４の状態情報データを取得する役割も果たす。
【００４０】
記録部１１４は、レーザビームプリンタやインクジェットプリンタ等からなる印刷装置であり、記録制御部１１３で変換され画像メモリ１０４に蓄積された印刷用の画像データを取り出し、カラー画像データ、またはモノクロ画像データを印刷部材に印刷する。
【００４１】
ＵＳＢファンクション制御部１１５は、ＵＳＢインタフェースの通信制御を行うものである。ＵＳＢ通信規格に従いプロトコル制御を行い、ＣＰＵ１０１が実行するＵＳＢ制御タスクからのデータをパケットに変換し、外部の情報処理端末にＵＳＢパケット送信を行う。また、外部の情報処理端末からのＵＳＢパケットを、データに変換してＣＰＵ１０１に対し送信を行ったりする。
【００４２】
ＵＳＢホスト制御部１１６は、ＵＳＢ通信規格で定められたプロトコルで通信を行う為の制御部である。ＵＳＢ通信規格は、双方向のデータ通信を高速に行うことが出来る規格であり、１台のホスト（マスター）に対し、複数のハブまたはファンクション（スレーブ）を接続することが出来る。ＵＳＢホスト制御部１１６は、ＵＳＢ通信におけるホストの機能を有する。
【００４３】
メモリカードスロット１１７は、ＵＳＢインタフェースを介してＵＳＢホスト制御部１１６に接続されており、着脱可能なメモリカードが装着される。
【００４４】
メモリカード制御部１１８は、メモリカードスロット１１７に装着されたメモリカードに格納されている画像データファイルにアクセスし読み書きすることが可能である。
【００４５】
外部記憶装置１１９は、ＵＳＢインタフェースを介してＵＳＢホスト制御部１１６に接続することが可能であり、ハードディスクやＣＤ−Ｒ装置等で構成され、画像データの保存、読み出しを行うことが可能である。
【００４６】
なお、１２１はＣＰＵバスである。
【実施例１】
【００４７】
上記のように構成されるマルチファンクションプリンタにおいて、以下、本発明におけるメモリカード内の画像データの印刷機能について詳細に説明する。
【００４８】
図３〜図５は、本発明におけるメモリカード内の画像データの印刷機能を表す処理フローを示す図である。
【００４９】
まず、ユーザは、操作部１０８の各種キーを操作し、フォルダ絞り込みシートプリント機能を選択・実行させ、フォルダ絞り込みシートのプリント指示を行う（Ｓ３０１）。
【００５０】
メモリカード制御部１１８は、メモリカードスロット１１７に装着されたメモリカードから、メモリカード内のフォルダ構成および格納されている画像データを読み込む（Ｓ３０２）。
【００５１】
記録制御部１１３は、読み込んだフォルダ構成および画像データからフォルダ絞り込みシート用レイアウトのプリントデータを生成し（Ｓ３０３）、記録部１１４にて、生成したプリントデータを印刷する（Ｓ３０４）。
【００５２】
フォルダ絞り込みシートは、メモリカード内のフォルダ構成一覧と各フォルダ内の数画像（本実施例では２画像）の画像データの一覧を、フォルダの選択を行うチェックマークとともにプリントしたものである（図２参照）。
【００５３】
図２に示すように、各フォルダに対し、フォルダ名（パス名）、２枚の画像データおよび一つのフォルダ選択用のチェックマークを有するものである。
【００５４】
ここでフォルダとともに表示される２枚の画像データは、各フォルダ内の任意の画像であり、「ファイル名順の上位２枚」、「撮影日時順の上位２枚」、「撮影日時の先頭１枚＋末尾１枚」など任意に設定すればよい。また、２枚という枚数も特に限定されるものではない。
【００５５】
ユーザは、印刷したい画像が格納されているフォルダを一つ以上選択し、対応するフォルダ絞り込みシートのフォルダ選択用のチェックマークを塗りつぶす。これにより、以下に説明するように、印刷したい画像データが格納されているフォルダ内の全画像に対する画像選択シートを印刷することができる。
【００５６】
フォルダ選択用のチェックマークを塗りつぶしたフォルダ絞り込みシートを読取部１０７にセットし、操作部１０８の各種キーを操作し、フォルダ絞り込みシート読み取り機能を選択・実行させ、フォルダ絞り込みシートの読み取り指示を行う（Ｓ４０１）。
【００５７】
読取部１０７は、フォルダ絞り込みシートを光学的に読み取り、読み取りデータを生成する（Ｓ４０２）。
【００５８】
読取制御部１０６は、読取部１０７で読み取ったフォルダ絞り込みシートの読み取りデータを解析し、フォルダ選択用のチェックマークにチェックがあるかどうかを解析する（Ｓ４０３）。
【００５９】
メモリカード制御部１１８は、メモリカードから、フォルダ選択用のチェックマークにチェックがあったフォルダに格納されている画像データを読み込む（Ｓ４０４）。
【００６０】
記録制御部１１３は、読み込んだ画像データから画像選択シート用レイアウトのプリントデータを生成し（Ｓ４０５）、記録部１１４にて、生成したプリントデータを印刷する（Ｓ４０６）。
【００６１】
画像選択シートは、メモリカード内の選択されたフォルダ内の画像データの一覧を、印刷する画像データの選択を行うチェックマークとともに印刷したものである（図６参照）。
【００６２】
図６に示すように、各画像データに対し、それぞれ一つのプリント選択用のチェックマークを有するものである。
【００６３】
ユーザは、印刷したい画像データを一つ以上選択し、対応する画像選択シートのプリント選択用のチェックマークを塗りつぶす。これにより、以下に説明するように、選択した画像データの印刷を行うことができる（図５参照）。
【００６４】
プリント選択用のチェックマークを塗りつぶした画像選択シートを読取部１０７にセットし、操作部１０８の各種キーを操作し、画像選択シート読み取り機能を選択・実行させ、画像選択シートの読み取り指示を行う（Ｓ５０１）。
【００６５】
読取部１０７は、画像選択シートを光学的に読み取り、読み取りデータを生成する（Ｓ５０２）。
【００６６】
読取制御部１０６は、読取部１０７で読み取った画像選択シートの読み取りデータを解析し、プリント選択用のチェックマークにチェックがあるかどうかを解析する（Ｓ５０３）。
【００６７】
記録制御部１１３は、チェックされているチェックマークに対応する画像データに対してプリントデータを生成し（Ｓ５０４）、記録部１１４にて、生成したプリントデータを印刷する（Ｓ５０６）。
【００６８】
これにより、ユーザは、印刷したい画像データをメモリカード内から容易に選択し、印刷することが可能である。
【実施例２】
【００６９】
上記のように構成されるマルチファンクションプリンタにおいて、以下、本発明におけるメモリカード内の画像データの印刷機能における他の実施形態について詳細に説明する。
【００７０】
図５、図７および図８は、本発明におけるメモリカード内の画像データの印刷機能を表す処理フローを示す図である。
【００７１】
まず、ユーザは、操作部１０８の各種キーを操作し、日付絞り込みシートプリント機能を選択・実行させ、日付絞り込みシートのプリント指示を行う（Ｓ７０１）。
【００７２】
メモリカード制御部１１８は、メモリカードスロット１１７に装着されたメモリカードから格納されている画像データ、および、画像データに付随する日付情報を読み込む（Ｓ７０２）。
【００７３】
そして、読み込んだメモリカード内の画像データを、画像データに付随する日付情報を元にグループ化する（Ｓ７０３）。
【００７４】
記録制御部１１３は、日付情報を元にグループ化された画像データおよび日付情報から日付絞り込みシート用レイアウトのプリントデータを生成（Ｓ７０４）、記録部１１４にて、生成したプリントデータを印刷する（Ｓ７０５）。
【００７５】
日付絞り込みシートは、メモリカード内の画像データを画像データに付随する日付情報を元にグループ化し、日付グループ一覧と各日付グループ内の数画像の画像データの一覧を、日付グループの選択を行うチェックマークとともに印刷したものである（図９参照）。
【００７６】
図９に示すように、各日付グループに対し、日付情報と、２枚の画像データ、および、一つの日付グループ選択用のチェックマークを有するものである。
【００７７】
ここで、日付情報を元にグループ化する際の日付の単位であるが、月ごとや週ごと、日ごとなど、任意に設定すればよい。また、日付グループ毎に表示される２枚の画像データは、各日付グループ内の任意の画像データであり、「ファイル名順の上位２枚」、「撮影日時順の上位２枚」、「撮影日時の先頭１枚＋末尾１枚」など任意に設定すればよい。また、２枚という枚数も特に限定されるものではない。
【００７８】
ユーザは、印刷したい画像データが格納されている日付グループを一つ以上選択し、対応する日付絞り込みシートの日付グループ選択用のチェックマークを塗りつぶす。これにより、以下に説明するように、印刷したい画像が格納されている日付グループ内の全画像に対する画像選択シートを印刷することができる。
【００７９】
日付グループ選択用のチェックマークを塗りつぶした日付絞り込みシートを読取部１０７にセットし、操作部１０８の各種キーを操作し、日付絞り込みシート読み取り機能を選択・実行させ、日付絞り込みシートの読み取り指示を行う（Ｓ８０１）。
【００８０】
読取部１０７は、日付絞り込みシートを光学的に読み取り、読み取りデータを生成する（Ｓ８０２）。
【００８１】
読取制御部１０６は、読取部１０７で読み取った日付絞り込みシートの読み取りデータを解析し、日付グループ選択用のチェックマークにチェックがあるかどうかを解析する（Ｓ８０３）。
【００８２】
メモリカード制御部１１８は、メモリカードから、日付グループ選択用のチェックマークにチェックがあった日付グループに属する画像データを読み込む（Ｓ８０４）。
【００８３】
記録制御部１１３は、読み込んだ画像データから画像選択シート用レイアウトのプリントデータを生成し（Ｓ８０５）、記録部１１４にて、生成したプリントデータを印刷する（Ｓ８０６）。
【００８４】
画像選択シートは、メモリカード内の選択された日付グループ内の画像データの一覧を、印刷する画像データの選択を行うチェックマークとともに印刷したものである。
【００８５】
ユーザは、印刷したい画像データを一つ以上選択し、対応する画像選択シートのプリント選択用のチェックマークを塗りつぶす。これにより、実施例１での画像選択シートの読み取り処理と同様の処理を行い、選択した画像データの印刷を行うことができる（図５参照）。
【実施例３】
【００８６】
上記実施例２の実施形態において、
図７のＳ７０４〜Ｓ７０５で生成される日付絞り込みシートに、さらに、「さらに日付の絞り込みを行う」ためのチェックマークを設ける（図１１参照）。
【００８７】
ユーザは、さらに日付の絞り込みを行いたい場合に、日付グループ選択用のチェックマークに加え、「さらに日付の絞り込みを行う」ためのチェックマークを塗りつぶす。
【００８８】
これにより、以下に説明するように、さらに詳細な条件での日付絞り込みシートを印刷することができる。図１０は、本実施例における、さらに詳細な条件での日付絞り込みシートをする処理を表す処理フローを示す図である。
【００８９】
日付グループ選択用のチェックマークを塗りつぶした日付絞り込みシートを読取部１０７にセットし、操作部１０８の各種キーを操作し、日付絞り込みシート読み取り機能を選択・実行させ、日付絞り込みシートの読み取り指示を行う（Ｓ１０１）。
【００９０】
読取部１０７は、日付絞り込みシートを光学的に読み取り、読み取りデータを生成する（Ｓ１０２）。
【００９１】
読取制御部１０６は、読取部１０７で読み取った日付絞り込みシートの読み取りデータを解析し、日付グループ選択用のチェックマーク、および、「さらに日付の絞り込みを行う」ためのチェックマークにチェックがあるかどうかを解析する（Ｓ１０３）。
【００９２】
解析結果から、「さらに日付の絞り込みを行う」ためのチェックマークにチェックがされているかどうか判断する。（Ｓ１０４）
Ｓ１０４にて「さらに日付の絞り込みを行う」ためのチェックマークにチェックがされていない場合は、実施例２での日付絞り込みシートの読み取り処理と同様の処理を行う。
【００９３】
メモリカード制御部１１８は、メモリカードから、日付グループ選択用のチェックマークにチェックがあった日付グループに属する画像データを読み込む（Ｓ１０５）。
【００９４】
記録制御部１１３は、読み込んだ画像データから画像選択シート用レイアウトのプリントデータを生成し（Ｓ１０６）、記録部１１４にて、生成したプリントデータを印刷する（Ｓ１０７）。
【００９５】
Ｓ１０４にて「さらに日付の絞り込みを行う」ためのチェックマークにチェックがされている場合は、日付グループ選択用のチェックマークにチェックがあった日付グループに属する画像データに対し、日付情報を元に再グループ化する（Ｓ１０８）。
【００９６】
記録制御部１１３は、日付情報を元に再グループ化された画像データ、および、日付情報から日付絞り込みシート用レイアウトのプリントデータを生成し（Ｓ１０９）、記録部１１４にて、生成したプリントデータを印刷する（Ｓ１１０）。
【００９７】
ここで、再グループ化する際の日付の単位であるが、例えば、一枚目の画像日付絞り込みシートが月ごとの単位だったら、ここでの単位は、日ごとなど、前回条件より条件を厳しくしたものに設定すればよい。
【００９８】
ユーザは、印刷したい画像が格納されているさらに詳細にグループ化された日付グループを一つ以上選択し、対応する画像日付絞り込みシートの日付グループ選択用のチェックマークを塗りつぶす。これにより、実施例２での日付絞り込みシートの読み取り処理と同様の処理を行い、さらに、画像選択シートの読み取り処理と同様の処理を行う。
【００９９】
これにより、ユーザは、プリントしたい画像をメモリカード内から容易に選択し、プリントすることが可能である。
【０１００】
（他の実施例）
前述の実施例では、画像データの記録媒体として、メモリカード内の画像データを対象としていたが、本発明では、メモリカード内の画像データに限定されるものではない。
【０１０１】
ハードディスクやＣＤ−Ｒ装置等で構成される外部記憶装置１１９に保存されている画像データについても、同様の処理を行うことが可能であり、同じく、プリントしたい画像を容易に選択し、プリントすることが可能となる。
【図面の簡単な説明】
【０１０２】
【図１】本発明の一実施形態を示すマルチファンクションプリンタの構成を説明するブロック図である。
【図２】本発明に係るマルチファンクションプリンタのフォルダ絞り込みシートの一例を示す図である。
【図３】本発明に係るマルチファンクションプリンタにおけるフォルダ絞り込みシートプリント処理手順の一例を示すフローチャートである。
【図４】本発明に係るマルチファンクションプリンタにおけるフォルダ絞り込みシート読み取り処理手順の一例を示すフローチャートである。
【図５】本発明に係るマルチファンクションプリンタにおける画像選択シート読み取り処理手順の一例を示すフローチャートである。
【図６】本発明に係るマルチファンクションプリンタの画像選択シートの一例を示す図である。
【図７】本発明に係るマルチファンクションプリンタにおける日付絞り込みシートプリント処理手順の一例を示すフローチャートである。
【図８】本発明に係るマルチファンクションプリンタにおける日付絞り込みシート読み取り処理手順の一例を示すフローチャートである。
【図９】本発明に係るマルチファンクションプリンタの日付絞り込みシートの一例を示す図である。
【図１０】本発明に係るマルチファンクションプリンタにおける日付絞り込みシート読み取り処理手順の他の一例を示すフローチャートである。
【図１１】本発明に係るマルチファンクションプリンタの日付絞り込みシートの他の一例を示す図である。
【符号の説明】
【０１０３】
１００  ＭＦＰ装置
１０１  ＣＰＵ
１０２  ＲＯＭ
１０３  ＲＡＭ
１０４  画像メモリ
１０５  データ変換部
１０６  読取制御部
１０７  読取部
１０８  操作部
１０９  表示部
１１０  通信制御部
１１１  解像度変換処理部
１１２  符号復号化処理部
１１３  記録制御部
１１４  記録部
１１５  ＵＳＢファンクション制御部
１１６  ＵＳＢホスト制御部
１１７  メモリカードスロット
１１８  メモリカード制御部
１１９  外部記憶装置
１２１  ＣＰＵバス
１３１  通信回線
【図１】
2008177770.tif 000003
【図２】
2008177770.tif 000004
【図３】
2008177770.tif 000005
【図４】
2008177770.tif 000006
【図５】
2008177770.tif 000007
【図６】
2008177770.tif 000008
【図７】
2008177770.tif 000009
【図８】
2008177770.tif 000010
【図９】
2008177770.tif 000011
【図１０】
2008177770.tif 000012
【図１１】
2008177770.tif 000013